(57)【要約】【課題】非接触データ受送信体を保持した状態にて、折り込み方向を選択的に変更することにより、非接触ＩＣカードの使用の可否、または、使用する非接触ＩＣカードを選択的に変更することを可能とする磁性シートを提供する。【解決手段】本発明の磁性シート１０は、金属基材１１と、金属基材１１の両面にそれぞれ設けられた第一磁性層１２および第二磁性層１３とからなる積層シート１４を備え、第一磁性層１２および第二磁性層１３のそれぞれを３つの領域に区分するとともに、積層シート１４の短辺方向に沿って、積層シート１４の両面側に折り曲げ可能な曲領域１８、１９が設けられ、第一磁性層１２および第二磁性層１３の３つの領域にはそれぞれ、金属基材１１と接する面とは反対の面側に、非接触型データ受送信体の保持部１７が設けられたことを特徴とする。【選択図】図１
2009032164.tif 000002
【特許請求の範囲】
【請求項１】
金属基材と、該金属基材の両面にそれぞれ設けられた第一磁性層および第二磁性層とからなる積層シートを備え、前記第一磁性層および前記第二磁性層のそれぞれを３つ以上の領域に区分するとともに、前記積層シートの短辺方向に沿って、前記積層シートの両面側に折り曲げ可能な曲領域が設けられた磁性シートであって、
前記第一磁性層および前記第二磁性層の３つ以上の領域にはそれぞれ、前記金属基材と接する面とは反対の面側に、非接触型データ受送信体の保持部が設けられたことを特徴とする磁性シート。
【発明の詳細な説明】
【技術分野】
【０００１】
本発明は、ＲＦＩＤ（Ｒａｄｉｏ  Ｆｒｅｑｕｅｎｃｙ  ＩＤｅｎｔｉｆｉｃａｔｉｏｎ）用途の情報記録メディアのように、電磁波を媒体とし、非接触状態にて、外部から情報を受信し、また外部に情報を送信できるようにした非接触型ＩＣカードなどの非接触型データ受送信体を収納することができるとともに、非接触型データ受送信体に対して情報の書込／読出の誤りを防止するための磁性シートに関し、特に、複数の非接触型データ受送信体を保持した状態で、所望の非接触型データ受送信体に対する情報の書込／読出を可能とする磁性シートに関する。
【背景技術】
【０００２】
非接触型データ受送信体の一例である非接触型ＩＣカードは、基材と、その一方の面に設けられ互いに接続されたアンテナおよびＩＣチップとから構成されるインレットを備えており、情報書込／読出装置からの電磁波を受信すると共振作用によりアンテナに起電力が発生し、この起電力により非接触型ＩＣカード内のＩＣチップが起動し、このＩＣチップ内の情報を信号化し、この信号が非接触型ＩＣカードのアンテナから発信される。
非接触型ＩＣカードから発信された信号は、情報書込／読出装置のアンテナで受信され、コントローラーを介してデータ処理装置へ送られ、識別などのデータ処理が行われる。
【０００３】
近年、このような非接触型ＩＣカードは、電車やバスなどの公共交通機関の定期券や乗車券、コンビニエンスストアやスーパーストアなどの小売店における電子マネーとしての用途が拡大しつつある。それに伴って、個人が所有する非接触型ＩＣカードの枚数も増加する傾向にある。
通常、非接触型ＩＣカードは、必要に応じて財布や定期入れなどから取り出して使用されるか、あるいは、財布や定期入れなどの中に収納した状態で使用される。特に、複数の非接触型ＩＣカードを、財布や定期入れなどの中に重ねたまま収納した状態で使用すると、非接触型ＩＣカードに誤って情報の書込／読出が行われることがあるという問題があった。
【０００４】
そこで、従来、複数の非接触型ＩＣカードをそれぞれ収納する複数のカード収納部を備え、カード収納部間に隔壁部を設けるとともに、隔壁部に導電体部を設け、かつ隔壁部に導電体部を挟んで第１および第２の磁性体を設けた非接触型ＩＣカードホルダーが開示されている（例えば、特許文献１参照）。
【特許文献１】特許第３６３０００６号公報
【発明の開示】
【発明が解決しようとする課題】
【０００５】
しかしながら、特許文献１に開示されている非接触型ＩＣカードホルダーでは、しかしながら、特許文献１に開示されている非接触型ＩＣカードホルダーでは、その折り込み方向を選択的に変更することにより、非接触ＩＣカードの使用の可否、または、使用する非接触ＩＣカードを選択的に変更することができないという不便さがあった。
【０００６】
本発明は、前記事情に鑑みてなされたものであって、非接触データ受送信体を保持した状態にて、折り込み方向を選択的に変更することにより、非接触ＩＣカードの使用の可否、または、使用する非接触ＩＣカードを選択的に変更することを可能とする磁性シートを提供することを目的とする。
【課題を解決するための手段】
【０００７】
本発明の磁性シートは、金属基材と、該金属基材の両面にそれぞれ設けられた第一磁性層および第二磁性層とからなる積層シートを備え、前記第一磁性層および前記第二磁性層のそれぞれを３つ以上の領域に区分するとともに、前記積層シートの短辺方向に沿って、前記積層シートの両面側に折り曲げ可能な曲領域が設けられた磁性シートであって、前記第一磁性層および前記第二磁性層の３つ以上の領域にはそれぞれ、前記金属基材と接する面とは反対の面側に、非接触型データ受送信体の保持部が設けられたことを特徴とする。
【発明の効果】
【０００８】
本発明の磁性シートは、金属基材と、該金属基材の両面にそれぞれ設けられた第一磁性層および第二磁性層とからなる積層シートを備え、前記第一磁性層および前記第二磁性層のそれぞれを３つ以上の領域に区分するとともに、前記積層シートの短辺方向に沿って、前記積層シートの両面側に折り曲げ可能な曲領域が設けられた磁性シートであって、前記第一磁性層および前記第二磁性層の３つ以上の領域にはそれぞれ、前記金属基材と接する面とは反対の面側に、非接触型データ受送信体の保持部が設けられたので、曲領域を境にして、磁性シートをＺ折り、または、巻き折りすることにより、第一磁性層側の領域に保持した非接触型データ受送信体、あるいは、第二磁性層側の領域に保持した非接触型データ受送信体を選択的に使用することができる。すなわち、使用しない非接触型データ受送信体を磁性シートの内側に巻き込み、使用する非接触型データ受送信体を磁性シートの最表面に配するだけで、非接触型ＩＣカードの入れ替えをすることなく、所望の非接触型ＩＣカードのみに対して情報の書込／読出をすることができる。したがって、非接触型ＩＣカードの紛失事故を予防することもできる。
【発明を実施するための最良の形態】
【０００９】
本発明の磁性シートの最良の形態について説明する。
なお、この形態は、発明の趣旨をより良く理解させるために具体的に説明するものであり、特に指定のない限り、本発明を限定するものではない。
【００１０】
図１は、本発明の磁性シートの一実施形態を示す概略図であり、（ａ）は平面図、（ｂ）は（ａ）のＡ−Ａ線に沿う断面図である。
この実施形態の磁性シート１０は、金属基材１１、および、この金属基材１１の一方の面１１ａに設けられた第一磁性層１２および他方の面１１ｂに設けられた第二磁性層１３からなる積層シート１４と、この積層シート１４を挟み、その表面全面を被覆する第一被覆材１５および第二被覆材１６と、非接触型データ受送信体を保持する保持部１７とから概略構成されている。
【００１１】
また、磁性シート１０には、その短辺方向に沿って、磁性シート１０（積層シート１４）を、その両面側に折り曲げ可能とする曲領域１８、１９が設けられている。また、この曲領域１８、１９を境にして、第一磁性層１２は第一領域２０、第二領域２１および第三領域２２に区分され、第二磁性層１３は第四領域２３、第五領域２４および第六領域２５に区分されている。
この曲領域１８、１９は、磁性シート１０に設けた折り癖、第一被覆材１５および第二被覆材１６のいずれか一方、あるいは両方に設けたハーフスリット、スリット、ミシン目などで形成されている。
【００１２】
また、保持部１７は、第一被覆材１５の第一領域２０、第二領域２１および第三領域２２の四隅に対応する位置、すなわち、第一磁性層１２の金属基材１１と接する面とは反対の面側、および、第二磁性層１３の第四領域２３、第五領域２４および第六領域２５の四隅に対応する位置、すなわち、第二磁性層１３の金属基材１１と接する面とは反対の面側に、三角形の袋状をなして設けられている。
【００１３】
金属基材１１としては、アルミニウム、銀、銅などの金属からなるフィルム状、シート状、繊維状の金属を編んで作製した布状のものなどが用いられる。
【００１４】
第一磁性層１２、第二磁性層１３をなす複合体は、磁性微粒子からなるフィラーと、樹脂とから概略構成されている。
この複合体は、磁性微粒子からなるフィラーと、樹脂と、添加剤と、溶媒とを含む磁性塗料を塗布、乾燥することによって、磁性微粒子がほぼ均一に分散した形態に成形される。
【００１５】
また、磁性微粒子としては、粉末状の磁性体粉末、または、この磁性体粉末をボールミルなどで微細化して粉末を成形した後、この粉末を機械的に扁平化して得られた扁平状のフレークなどからなる磁性体フレークが挙げられる。これらの中でも、磁性微粒子としては、扁平状のものが好ましい。磁性微粒子が扁平状であれば、磁性シート１０を第一被覆材１５または第二被覆材１６の表面側から見て、第一磁性層１２、第二磁性層１３を構成する多数の磁性微粒子が、少なくともその一部が互いに重なり、隣接した１つの磁性体を形成しやすい。したがって、より磁束が第一磁性層１２、第二磁性層１３を通って、この磁性シート１０の第一被覆材１５または第二被覆材１６側に配された非接触型データ受送信体のアンテナに捕捉され易くなる。
【００１６】
さらに、磁性体粉末としては、例えば、センダスト（Ｆｅ−Ｓｉ−Ａｌ合金）粉末、カーボニル鉄粉末、パーマロイなどのアトマイズ粉末、還元鉄粉末などが挙げられる。磁性体フレークとしては、例えば、前記磁性体粉末をボールミルなどで微細化して粉末を成形した後、この粉末を機械的に扁平化して得られたフレークや、鉄系またはコバルト系アモルファス合金の溶湯を水冷銅板に衝突させて得られたフレークなどが挙げられる。これらの中でも、磁性微粒子としては、センダストからなる磁性体粉末または磁性体フレークが好ましく、センダストからなる磁性体フレークがより好ましい。磁性微粒子が、センダストからなる磁性体粉末または磁性体フレークであれば、これらを構成要素として含む第一磁性層１２、第二磁性層１３の飽和磁束密度および透磁率が高くなるので、より磁束が磁性層を通ってアンテナに捕捉され易くなる。
【００１７】
なお、第一磁性層１２、第二磁性層１３をなす磁性微粒子の形状は、その全てが粉末状あるいは扁平状のいずれか一方である必要はない。第一磁性層１２、第二磁性層１３には、粉末状の磁性微粒子と扁平状の磁性微粒子が混在していてもよく、このように形状の異なる磁性微粒子が混在していても、磁性シート１０は十分に効果を発揮する。
【００１８】
第一磁性層１２、第二磁性層１３をなす複合体を構成する樹脂としては、熱可塑性樹脂、熱硬化性樹脂、反応型樹脂などが挙げられる。
熱可塑性樹脂としては、例えば、塩化ビニル、酢酸ビニル、塩化ビニル−酢酸ビニル共重合体、塩化ビニル−塩化ビニリデン共重合体、塩化ビニル−アクリロニトリル共重合体、アクリル酸エステル−アクリロニトリル共重合体、アクリル酸エステル−塩化ビニル−塩化ビニリデン共重合体、アクリル酸エステル−塩化ビニリデン共重合体、メタクリル酸エステル−塩化ビニリデン共重合体、メタクリル酸エステル−塩化ビニル共重合体、メタクリル酸エステル−エチレン共重合体、ポリ弗化ビニル、塩化ビニリデン−アクリロニトリル共重合体、アクリロニトリル−ブタジエン共重合体、ポリアミド樹脂、ポリビニルブチラール、セルロース誘導体（セルロースアセテートブチレート、セルロースダイアセテート、セルローストリアセテート、セルロースプロピオネート、ニトロセルロース）、スチレンブタジエン共重合体、ポリウレタン樹脂、ポリエステル樹脂、アミノ樹脂、あるいは、スチレン系ゴム、フッ素系ゴム、シリコン系ゴム、エチレン・プロピレン共重合体ゴムなどのポリマー系の合成ゴム材料などが挙げられる。
【００１９】
熱硬化性樹脂または反応型樹脂としては、例えば、フェノール樹脂、エポキシ樹脂、ポリウレタン硬化型樹脂、尿素樹脂、メラミン樹脂、アルキッド樹脂、シリコーン樹脂、ポリアミン樹脂、尿素ホルムアルデヒド樹脂などが挙げられる。
【００２０】
また、第一磁性層１２、第二磁性層１３をなす複合体には、第一磁性層１２、第二磁性層１３に粘着性を付与するために、各種粘着剤が含まれていてもよい。
【００２１】
また、第一磁性層１２、第二磁性層１３をなす複合体を形成するために用いられる磁性塗料に含まれる添加剤としては、粘度調整剤、消泡剤、レベリング剤などが挙げられる。
【００２２】
さらに、この磁性塗料に含まれる溶媒としては、シクロヘキサノン、アセトン、ベンゼン系、エチル系などの有機溶媒が挙げられる。
【００２３】
第一被覆材１５、第二被覆材１６としては、透明あるいは不透明の熱可塑性樹脂からなるフィルム状あるいはシート状のものが用いられる。このような熱可塑性樹脂としては、例えば、ポリエチレンテレフタレート（ＰＥＴ）などのポリエステル系樹脂、ポリカーボネート系樹脂、ポリアミド系樹脂、ポリプロピレン（ＰＰ）やポリエチレン（ＰＥ）などのポリオレフィン系樹脂、アクリル系樹脂などが挙げられる。
【００２４】
保持部１７は、第一被覆材１５の表面１５ａおよび第二被覆材１６の表面１６ａに、熱可塑性樹脂からなるフィルム状あるいはシート状の基材を融着または接着して設けられたものである。この基材をなす熱可塑性樹脂としては、第一被覆材１５および第二被覆材１６をなす熱可塑性樹脂と同様のものが用いられる。
【００２５】
この実施形態の磁性体シート１０を製造するには、先ず、スピンコート法、ロールコート法、スプレーコート法、バーコート法、ディップコート法、フローコート法などの塗布方法により、金属基材１１の一方の面１１ａおよび他方の面１１ｂに、上記の磁性体粉末を含有する磁性塗料を塗布して塗膜を形成する。
次いで、この塗布膜を、大気中にて乾燥するか、あるいは、乾燥・熱処理し、第一磁性層１２、第二磁性層１３を形成し、金属基材１１、第一磁性層１２および第二磁性層１３からなる積層シート１４を作製する。
【００２６】
次いで、第一被覆材１５と第二被覆材１６により、この積層シート１４を挟み込んだ後、（１）積層シート１４、第一被覆材１５および第二被覆材１６から構成される積層物を、熱圧処理し、第一被覆材１５と第二被覆材１６を融着するか、あるいは、（２）積層シート１４と、第一被覆材１５および第二被覆材１６との間に介在させた接着剤を加熱、紫外線照射、電子線照射、エージング〔放置して時間とともに硬化反応をさせていくこと〕処理などにより硬化する、ことにより、積層シート１４、第一被覆材１５および第二被覆材１６を一体化する。
さらに、第一被覆材１５の一面１５ａ、および、第二被覆材１６の一面１６ａに、熱可塑性樹脂からなるフィルム状あるいはシート状の基材を融着または接着して保持部１７を形成し、磁性シート１０が得られる。
【００２７】
次に、図１〜３を参照して、この実施形態の磁性シートの作用について、非接触型データ受送信体として、非接触型ＩＣカードを複数枚使用する場合を例に挙げて説明する。
図２、３は、この実施形態の磁性シートの使用方法を示す概略断面図である。なお、図２、３では、図面を見やすくするために、図１に示す第一被覆材１５および第二被覆材１６を省略している。
【００２８】
（第一の使用方法）
非接触型ＩＣカード（図示略）の四隅を、第一被覆材１５の一面１５ａに設けた保持部１７に差し込んで、第一領域２０、第二領域２１および第三領域２２に、非接触型ＩＣカードを保持するとともに、非接触型ＩＣカード（図示略）の四隅を、第二被覆材１６の一面１６ａに設けた保持部１７に差し込んで、第四領域２３、第五領域２４および第六領域２５に、非接触型ＩＣカードを保持する。
次いで、図２に示すように、曲領域１８を境にして、磁性シート１０を折り曲げ、第四領域２３と第五領域２４を対向させる。
次いで、曲領域１９を境にして、磁性シート１０を折り曲げ、第二領域２１と第三領域２２を対向させ、磁性シート１０をＺ折りし、その最表面に第一領域２０と第六領域２５を配する。
【００２９】
この状態で、第一領域２０に保持された非接触型ＩＣカードに情報書込／読出装置のアンテナを対向させると、この非接触型ＩＣカードの背面側には第一磁性層１２が存在するので、情報書込／読出装置からの電磁誘導により非接触型ＩＣカードのアンテナに電流が流れる。
そして、非接触型ＩＣカードのアンテナを流れる電流が、非接触型ＩＣカードのＩＣチップに供給されることにより、情報書込／読出装置から、アンテナを介してＩＣチップに情報が書き込まれ、あるいは、ＩＣチップに書き込まれた情報がアンテナを介して情報書込／読出装置にて読み出される。
同様に、第六領域２５に保持された非接触型ＩＣカードの背面側には第二磁性層１３が存在するので、この非接触型ＩＣカードに情報書込／読出装置のアンテナを対向させると、情報書込／読出装置からの電磁誘導により、この非接触型ＩＣカードに対して、情報の書込／読出を行うことができる。
【００３０】
一方、内側に折り込まれた、第二領域２１、第三領域２２、第四領域２３および第五領域２４に保持された非接触型ＩＣカードは、その周囲が金属基材１１に覆われているので、第一領域２０または第六領域２５の非接触型ＩＣカードに情報書込／読出装置のアンテナを対向させても、誤って第二領域２１、第三領域２２、第四領域２３および第五領域２４の非接触型ＩＣカードに対して、情報の書込／読出がなされることはない。
【００３１】
また、第一領域２０の非接触型ＩＣカードと、第六領域２５の非接触型ＩＣカードとの間には、金属基材１１が存在するので、一方の非接触型ＩＣカードに情報書込／読出装置のアンテナを対向させた場合、誤って他方の非接触型ＩＣカードに対して、情報の書込／読出がなされることはない。
【００３２】
（第二の使用方法）
曲領域１８を境にして、磁性シート１０を折り曲げ、第一領域２０と第二領域２１を対向させる。
次いで、曲領域１９を境にして、磁性シート１０を折り曲げ、第五領域２４と第六領域２５を対向させ、磁性シート１０をＺ折りし、その最表面に第三領域２２と第四領域２３を配する。
【００３３】
この状態で、第三領域２２または第四領域２３に保持された非接触型ＩＣカードに情報書込／読出装置のアンテナを対向させると、情報書込／読出装置からの電磁誘導により非接触型ＩＣカードに対して、情報の書込／読出を行うことができる。
【００３４】
一方、第三領域２２または第四領域２３の非接触型ＩＣカードに情報書込／読出装置のアンテナを対向させても、誤って、内側に折り込まれた第一領域２０、第二領域２１、第五領域２４および第六領域２５の非接触型ＩＣカードに対して、情報の書込／読出がなされることはない。
【００３５】
また、第三領域２２の非接触型ＩＣカードと第四領域２３の非接触型ＩＣカードの一方に情報書込／読出装置のアンテナを対向させた場合、誤って他方に対して、情報の書込／読出がなされることはない。
【００３６】
（第三の使用方法）
図３に示すように、第一領域２０と第二領域２１が外面側になるように、曲領域１８を境にして、磁性シート１０を折り曲げ、第四領域２３と第五領域２４を対向させる。
次いで、曲領域１９を境にして、磁性シート１０を折り曲げ、第一領域２０と第六領域２５を対向させ、磁性シート１０を巻き折りし、その最表面に第二領域２１と第三領域２２を配する。
【００３７】
この状態で、第二領域２１または第三領域２２に保持された非接触型ＩＣカードに情報書込／読出装置のアンテナを対向させると、情報書込／読出装置からの電磁誘導により非接触型ＩＣカードに対して、情報の書込／読出を行うことができる。
【００３８】
一方、第二領域２１または第三領域２２の非接触型ＩＣカードに情報書込／読出装置のアンテナを対向させても、誤って、内側に折り込まれた第一領域２０、第四領域２３、第五領域２４および第六領域２５の非接触型ＩＣカードに対して、情報の書込／読出がなされることはない。
【００３９】
また、第二領域２１の非接触型ＩＣカードと第三領域２２の非接触型ＩＣカードの一方に情報書込／読出装置のアンテナを対向させた場合、誤って他方に対して、情報の書込／読出がなされることはない。
【００４０】
（第四の使用方法）
第二領域２１と第三領域２２が外面側になるように、曲領域１９を境にして、磁性シート１０を折り曲げ、第五領域２４と第六領域２５を対向させる。
次いで、曲領域１８を境にして、磁性シート１０を折り曲げ、第三領域２２と第四領域２３を対向させ、磁性シート１０を巻き折りし、その最表面に第一領域２０と第二領域２１を配する。
【００４１】
この状態で、第一領域２０または第二領域２１に保持された非接触型ＩＣカードに情報書込／読出装置のアンテナを対向させると、情報書込／読出装置からの電磁誘導により非接触型ＩＣカードに対して、情報の書込／読出を行うことができる。
【００４２】
一方、第一領域２０または第二領域２１の非接触型ＩＣカードに情報書込／読出装置のアンテナを対向させても、誤って内側に折り込まれた第三領域２２、第四領域２３、第五領域２４および第六領域２５の非接触型ＩＣカードに対して、情報の書込／読出がなされることはない。
【００４３】
また、第一領域２０の非接触型ＩＣカードと第二領域２１の非接触型ＩＣカードの一方に情報書込／読出装置のアンテナを対向させた場合、誤って他方に対して、情報の書込／読出がなされることはない。
【００４４】
（第五の使用方法）
第四領域２３と第五領域２４が外面側になるように、曲領域１８を境にして、磁性シート１０を折り曲げ、第一領域２０と第二領域２１を対向させる。
次いで、曲領域１９を境にして、磁性シート１０を折り曲げ、第三領域２２と第四領域２３を対向させ、磁性シート１０を巻き折りし、その最表面に第五領域２４と第六領域２５を配する。
【００４５】
この状態で、第五領域２４または第六領域２５に保持された非接触型ＩＣカードに情報書込／読出装置のアンテナを対向させると、情報書込／読出装置からの電磁誘導により非接触型ＩＣカードに対して、情報の書込／読出を行うことができる。
【００４６】
一方、第五領域２４または第六領域２５の非接触型ＩＣカードに情報書込／読出装置のアンテナを対向させても、誤って、内側に折り込まれた第一領域２０、第二領域２１、第三領域２２および第四領域２３の非接触型ＩＣカードに対して、情報の書込／読出がなされることはない。
【００４７】
また、第五領域２４の非接触型ＩＣカードと第六領域２５の非接触型ＩＣカードの一方に情報書込／読出装置のアンテナを対向させた場合、誤って他方に対して、情報の書込／読出がなされることはない。
【００４８】
（第六の使用方法）
第五領域２４と第六領域２５が外面側になるように、曲領域１９を境にして、磁性シート１０を折り曲げ、第二領域２１と第三領域２２を対向させる。
次いで、曲領域１８を境にして、磁性シート１０を折り曲げ、第一領域２０と第六領域２５を対向させ、磁性シート１０を巻き折りし、その最表面に第四領域２３と第五領域２４を配する。
【００４９】
この状態で、第四領域２３または第五領域２４に保持された非接触型ＩＣカードに情報書込／読出装置のアンテナを対向させると、情報書込／読出装置からの電磁誘導により非接触型ＩＣカードに対して、情報の書込／読出を行うことができる。
【００５０】
一方、第四領域２３または第五領域２４の非接触型ＩＣカードに情報書込／読出装置のアンテナを対向させても、誤って内側に折り込まれた第一領域２０、第二領域２１、第三領域２２および第六領域２５の非接触型ＩＣカードに対して、情報の書込／読出がなされることはない。
【００５１】
また、第四領域２３の非接触型ＩＣカードと第五領域２４の非接触型ＩＣカードの一方に情報書込／読出装置のアンテナを対向させた場合、誤って他方に対して、情報の書込／読出がなされることはない。
【００５２】
この実施形態の磁性シート１０によれば、フィルム状あるいはシート状の金属基材１１と、磁性塗料により形成された第一磁性層１２および第二磁性層１３とから構成され、その短辺方向に沿って、磁性シート１０を、その両面側に折り曲げ可能とする曲領域１８、１９が設けられているので、曲領域１８、１９を境にして、磁性シート１０をＺ折り、または、巻き折りすることにより、第一領域２０、第二領域２１、第三領域２２、第四領域２３、第五領域２４および第六領域２５のそれぞれに保持した非接触型ＩＣカードを選択的に使用することができる。すなわち、使用しない非接触型ＩＣカードを磁性シート１０の内側に巻き込み、使用する非接触型ＩＣカードを磁性シート１０の最表面に配するだけで、非接触型ＩＣカードの入れ替えをすることなく、所望の非接触型ＩＣカードのみに対して情報の書込／読出をすることができる。したがって、非接触型ＩＣカードの紛失事故を予防することもできる。
【００５３】
なお、この実施形態の磁性シート１０には、第一磁性層１２の一面１２ａ、第二磁性層１３の一面１３ａに、それぞれを識別するための印刷情報を設けておいてもよい。
【００５４】
また、この実施形態では、曲領域１８、１９にも金属基材１１、第一磁性層１２および第二磁性層１３が存在する磁性シート１０を例示したが、本発明の磁性シートはこれに限定されない。本発明の磁性シートにあっては、曲領域には少なくとも金属基材または磁性層のいずれか一方が存在しているか、あるいは、曲領域が被覆材のみで形成されていてもよい。このようにすれば、磁性シートを曲領域において折り曲げ易くすることができる。
【００５５】
また、この実施形態では、第一磁性層１２の第一領域２０、第二領域２１および第三領域２２の四隅、および、第二磁性層１３の第四領域２３、第五領域２４および第六領域２５の四隅に対応する位置に、三角形の袋状の保持部１７が設けられた磁性シート１０を例示したが、本発明の磁性シートはこれに限定されない。本発明の磁性シートにあっては、非接触型データ受送信体の保持部として、第一磁性層の第一領域、第二領域および第三領域の四隅、および、第二磁性層の第四領域、第五領域および第六領域のそれぞれに、非接触型データ受送信体の一部または全部を収納する収納部が１つ設けられていてもよい。
【００５６】
さらに、この実施形態では、第一磁性層１２および第二磁性層１３のそれぞれに３つの領域を有する磁性シート１０を例示したが、本発明の磁性シートはこれに限定されない。本発明の磁性シートは、曲領域を境にして、第一磁性層および第二磁性層のそれぞれに４つ以上の領域を有するものであってもよい。第一磁性層および第二磁性層のそれぞれに４つ以上の領域を有する磁性シートにあっても、その使用方法および作用・効果は、この実施形態と同様である。
【図面の簡単な説明】
【００５７】
【図１】本発明の磁性シートの一実施形態を示す概略図であり、（ａ）は平面図、（ｂ）は（ａ）のＡ−Ａ線に沿う断面図である。
【図２】本発明の磁性シートの一実施形態の使用方法を示す概略断面図である。
【図３】本発明の磁性シートの一実施形態の使用方法を示す概略断面図である。
【符号の説明】
【００５８】
１０・・・磁性シート、１１・・・金属基材、１２・・第一磁性層、１３・・・第二磁性層，１４・・・積層シート、１５・・・第一被覆材、１６・・・第二被覆材、１７・・・保持部、１８，１９・・・曲領域、２０・・・第一領域、２１・・・第二領域、２２・・・第三領域、２３・・・第四領域、２４・・・第五領域、２５・・・第六領域。
【図１】
2009032164.tif 000003
【図２】
2009032164.tif 000004
【図３】
2009032164.tif 000005